(57)【要約】【課題】回路規模を縮小した歪み補償回路、通信装置、及び遅延検出回路を提供すること。【解決手段】遅延検出回路において、時間領域の信号を周波数領域の信号に変換または周波数領域の信号を時間領域の信号に変換する変換回路を備え、前記変換回路は送信信号に対して直交変調により信号処理を行う信号処理回路において使用され、前記変換回路は前記送信信号に対する第１の信号の遅延量を出力する。【選択図】図１
2009272875.tif 000002
【特許請求の範囲】
【請求項１】
遅延検出回路において、
時間領域の信号を周波数領域の信号に変換または周波数領域の信号を時間領域の信号に変換する変換回路を備え、
前記変換回路は送信信号に対して直交変調により信号処理を行う信号処理回路において使用され、
前記変換回路は前記送信信号に対する第１の信号の遅延量を出力することを特徴とする遅延検出回路。
【請求項２】
前記変換回路は前記第１の信号に対して複数の周波数領域または時間領域の信号を出力し、前記複数の周波数領域または時間領域の信号を前記遅延量として出力することを特徴とする請求項１記載の遅延検出回路。
【請求項３】
前記変換回路は、前記送信信号と第１の信号との差分が入力されることを特徴とする請求項１記載の遅延検出回路。
【請求項４】
前記送信信号は参照信号であり、前記第１の信号は前記信号処理回路の送信側からのフィードバック信号であることを特徴とする請求項１記載の遅延検出回路。
【請求項５】
歪み補償係数を用いて送信信号に対する歪みを補償する歪み補償回路において、
時間領域の信号を周波数領域の信号に変換または周波数領域の信号を時間領域の信号に変換する変換回路と、
前記変換回路の出力に基づいて前記送信信号又はフィードバック信号を遅延させる遅延回路とを備え、
前記変換回路は送信信号に対して直交変調により信号処理を行う信号処理回路において使用され、
前記変換回路は、前記送信信号に対する、前記信号処理回路の出力側からフィードバックされる前記フィードバック信号の遅延量又は前記遅延量から求められる量を出力し、
前記遅延量に基づいて遅延された前記送信信号又は前記遅延量から求められる量に基づいて遅延された前記フィードバック信号に基づいて前記歪み補償係数を更新することを特徴とする歪み補償回路。
【請求項６】
さらに、前記送信信号と前記変換回路からの出力とが入力され、前記変換回路からの出力から前記送信信号の送信符号をキャンセルする送信符号キャンセル回路を備え、
前記送信符号キャンセル回路の出力を前記遅延回路に入力させることを特徴とする請求項５記載の歪み補償回路。
【請求項７】
送信信号に対して直交変調を行い、直交変調後の前記送信信号を送信する信号処理回路を備える通信装置において、
時間領域の信号を周波数領域の信号に変換または周波数領域の信号を時間領域の信号に変換する変換回路を備え、
前記変換回路は前記信号処理回路において使用され、
前記変換回路は前記送信信号に対する第１の信号の遅延量を出力することを特徴とする通信装置。
【発明の詳細な説明】
【技術分野】
【０００１】
本発明は、遅延検出回路、歪み補償回路、及び通信装置に関する。
【背景技術】
【０００２】
従来から、ディジタルプリディストーション方式による歪み補償回路がある。歪み補償回路は通信装置の出力アンプから出力されるＲＦ信号の歪みを補償する回路であり、ディジタルプリディストーション方式はＲＦ信号の歪みにさらに歪みを乗算することで歪みを補償する方式である。
【０００３】
図１６はディジタルプリディストーション方式による歪み補償回路５０の構成例を示す図である（例えば、以下の特許文献１）。ＬＵＴ（ルックアップテーブル）１１は歪み特性の逆特性となる係数（歪み補償係数）を記憶し、複素掛算器１２はベースバンド信号に対してＬＵＴ１１からの係数を乗算する。係数が乗算されたベースバンド信号はＤ／Ａ変換器１３と直交変調器（ＱＤＥＭ）１４とを介してアンプ１５に出力される。アンプ１５は歪みが補償（線形性が補償）されたＲＦ信号を増幅して出力する。そして、かかる信号はアンプ１５の後段にあるアンテナから通信相手先に送信される。
【０００４】
また、歪み補償回路５０は、ＬＵＴ１１に記憶された係数を更新する。すなわち、減算器１９はベースバンド信号とアンプ１５からのフィードバック信号との誤差を検出し、加算器２１はその誤差とＬＵＴ１１の係数とを加算する。そして、この加算値と振幅算出部２０で算出したベースバンド信号の振幅とから、アンプ１５からのＲＦ信号の歪みがより小さくなるように、ＬＵＴ１１に記憶された係数を更新する。
【０００５】
減算器１９は誤差を検出するときにベースバンド信号（参照信号）とアンプ１５からのフィードバック信号とを比較する。フィードバック信号はＤ／Ａ変換器１３と直交変調器１４とを介して信号処理が施されているため、アンプ１５からの出力信号に対して直交復調器１６とＡ／Ｄ変換器１７とにより信号処理を行う。
【０００６】
このとき、フィードバック信号は、減算器１９に入力される参照信号に対して、Ｄ／Ａ変換器１３からＡ／Ｄ変換器１７までの信号処理が行われる分だけ設計時に補償できない遅延がある。そこで、歪み補償回路５０は、遅延検出回路５１により参照信号とフィードバック信号の遅延量を検出し、遅延回路１８によりその遅延量に基づいて参照信号を遅延させる。減算器１９は参照信号とフィードバック信号のタイミングが合った状態で両者の誤差を検出する。
【０００７】
図１７（Ａ）は従来の遅延検出回路５１の構成例、同図（Ｂ）は従来の遅延検出の例を示す図である（例えば、以下の特許文献１）。遅延検出回路５１は遅延回路５１０と相関器５１１とを有し、遅延回路５１０により参照信号（ベースバンド信号）を所定遅延量遅延させ、相関器５１１によりフィードバック信号との相関値出力を得る。遅延回路５１０への遅延量を可変にし、出力が最大となる遅延量（ａ）が参照信号とフィードバック信号との遅延量となる（同図（Ｂ）参照）。  
【特許文献１】特許第４０１４３４３号特許公報
【発明の開示】
【発明が解決しようとする課題】
【０００８】
しかし、従来の歪み補償回路５０は、参照信号とフィードバック信号との遅延量を検出するために専用の遅延検出回路５１を設けなければならない。そのため、歪み補償回路５０の回路規模は増大する。
【０００９】
そこで、本発明は上記問題点に鑑みてなされたもので、その目的は回路規模を縮小した歪み補償回路、通信装置、及び遅延検出回路を提供することにある。
【課題を解決するための手段】
【００１０】
本発明の一態様によれば、遅延検出回路において、時間領域の信号を周波数領域の信号に変換または周波数領域の信号を時間領域の信号に変換する変換回路を備え、前記変換回路は送信信号に対して直交変調により信号処理を行う信号処理回路において使用され、前記変換回路は前記送信信号に対する第１の信号の遅延量を出力する。
【００１１】
また、本発明の他の態様によれば、歪み補償係数を用いて送信信号に対する歪みを補償する歪み補償回路において、歪み補償係数を用いて送信信号に対する歪みを補償する歪み補償回路において、時間領域の信号を周波数領域の信号に変換または周波数領域の信号を時間領域の信号に変換する変換回路と、前記変換回路の出力に基づいて前記送信信号又はフィードバック信号を遅延させる遅延回路とを備え、前記変換回路は送信信号に対して直交変調により信号処理を行う信号処理回路において使用され、前記変換回路は、前記送信信号に対する、前記信号処理回路の出力側からフィードバックされる前記フィードバック信号の遅延量又は前記遅延量から求められる量を出力し、前記遅延量に基づいて遅延された前記送信信号又は前記フィードバック信号に基づいて前記歪み補償係数を更新する。
【００１２】
さらに、本発明の他の態様によれば、送信信号に対して直交変調を行い、直交変調後の前記送信信号を送信する信号処理回路を備える通信装置において、時間領域の信号を周波数領域の信号に変換または周波数領域の信号を時間領域の信号に変換する変換回路を備え、前記変換回路は前記信号処理回路において使用され、前記変換回路は前記送信信号に対する第１の信号の遅延量を出力する。
【発明の効果】
【００１３】
本発明によれば、回路規模を縮小した歪み補償回路、通信装置、及び遅延検出回路を提供することができる。
【発明を実施するための最良の形態】
【００１４】
以下、図面を参照して本発明を実施するための最良の形態を説明する。
【実施例１】
【００１５】
図１（Ａ）は歪み補償回路１０の構成例を示す図である。歪み補償回路１０は、ＬＵＴ１１、複素掛算器１２、Ｄ／Ａ変換器１３、直交変調器（ＱＭＯＤ）１４、アンプ１５、直交復調器（ＱＤＥＭ）１６、Ａ／Ｄ変換器１７、遅延回路１８、減算器１９、振幅算出部（√Ｉ２＋Ｑ２）２０、加算器２１、及びＦＦＴ（Fast Fourier Transfer）回路２２を備える。
【００１６】
ＬＵＴ１１は、アンプ１５から出力されるＲＦ信号の歪みを補償するため、当該信号の歪み特性に対して逆特性となる係数（歪み補償係数）を記憶する。
【００１７】
複素掛算器１２は、ベースバンド信号とＬＵＴ１１からの係数とを複素乗算し、乗算されたベースバンド信号を出力する。
【００１８】
Ｄ／Ａ変換器１３は、複素掛算器１２からのベースバンド信号をアナログ信号に変換する。
【００１９】
直交変調器１４は、Ｄ／Ａ変換器１３からのベースバンド信号を変調しＲＦ信号として出力する。直交変調器１４は、例えば、ＱＰＳＫ（Quaternary Phase Shit Keying）、１６ＱＡＭ（Quadrature Amplitude Modulation）、６４ＱＡＭ等の直交変調を行う。
【００２０】
アンプ１５は直交変調器１４からのＲＦ信号を増幅する。
【００２１】
直交復調器１６は、アンプ１５からのＲＦ信号を復調し、ベースバンド信号を出力する。直交復調器１６の復調方式は直交変調器１４の変調方式と対応する。
【００２２】
Ａ／Ｄ変換器１７は、直交復調器１６からのベースバンド信号をディジタル信号に変換し、減算器１９に出力する。
【００２３】
遅延回路１８は、ＦＦＴ回路２２からの出力信号（遅延量）に基づいてベースバンド信号を遅延させて減算器１９に出力する。
【００２４】
減算器１９は、Ａ／Ｄ変換器１７からのベースバンド信号（フィードバック信号）と、遅延回路１８からのベースバンド信号（参照信号）とを減算して両者の差分（誤差）を検出し、誤差値を出力する。
【００２５】
振幅算出部２０は、ベースバンド信号の振幅を算出しＬＵＴ１１に出力する。
【００２６】
加算器２１は、減算器１９からの誤差値とＬＵＴ１１から出力される係数とを加算し、ＬＵＴ１１に出力する。ＬＵＴ１１は、振幅算出部２０からの振幅値と加算器２１からの加算値とに基づいて係数を更新する。ＬＵＴ１１はアンプ１５からのＲＦ信号の歪みがより小さくなるように係数を更新する。
【００２７】
ＦＦＴ回路２２は、Ａ／Ｄ変換器１７からのフィードバック信号が入力され、時間領域の信号であるフィードバック信号を周波数領域の信号に変換し、遅延回路１８に出力する。遅延回路１８はＦＦＴ回路２２からの出力に基づいてフィードバック信号を遅延させる。
【００２８】
本歪み補償回路１０は、ＯＦＤＭ（Orthogonal Frequency Division Multiplexing：直交周波数分割多重）やＯＦＤＭＡ（Orthogonal Frequency Division Multiplexing Access：直交周波数分割多重接続）等の直交変調により、受信信号を復調する信号処理回路で用いられるＦＦＴを、歪み補償回路１０における遅延検出回路に流用している。
【００２９】
図２は、ＯＦＤＭ方式による信号処理回路の構成例を示す図である。本信号処理回路は、ＩＦＦＴ回路２３、Ｄ／Ａ変換器１３、直交変調器１４、アンプ１５、アンテナ２４、直交直交復調器１６、Ａ／Ｄ変換器１７、ＦＦＴ回路２２とを有する。
【００３０】
サブキャリア毎の送信符号は、ＩＦＦＴ回路２３により周波数領域から時間領域の信号に変換され、Ｄ／Ａ変換器１３でアナログ信号に変換後、直交変調器１４で変調され、アンプ１５で増幅後、アンテナ２４から送信される。
【００３１】
一方、アンテナ２４で受信した受信信号はアンプ２５で増幅後、直交復調器１６で復調され、Ａ／Ｄ変換器１７でディジタル信号に変換された後、ＦＦＴ回路２２で時間領域から周波数領域のサブキャリア毎の受信符号に変換される。
【００３２】
本歪み補償回路１０は、このＯＦＤＭ方式による信号処理回路の受信系で用いられるＦＦＴ回路２２を、遅延検出回路に流用している。
【００３３】
なお、ＦＦＴ回路２２はＩＦＦＴ回路２３と全く同一の回路を利用し実現できる。どちらも、入力信号が周波数領域の信号のとき出力は時間領域に信号となり、入力が時間領域の信号のとき出力は周波数領域の信号となるからである。したがって、歪み補償回路１０はＦＦＴ回路２２に代えてＩＦＦＴ回路２３を遅延検出回路に用いてもよい。
【００３４】
図３は歪み補償回路１０を含む通信装置３０の構成例を示す図である。通信装置３０は、図１（Ａ）の歪み補償回路１０に対して、さらに、第１及び第２の切替え部３１，３２と、Ｐ／Ｓ変換部３３と、Ｓ／Ｐ変換部３４と、アンテナ２４を備える。
【００３５】
第１の切替え部３１は、送信データとＳ／Ｐ変換部３４からの出力とが入力され、いずれか一方をＩＦＦＴ回路２３に出力する。
【００３６】
第２の切替え部３２は、ＩＦＦＴ回路２３の出力をＰ／Ｓ変換部３３または遅延回路１８のいずれか一方に出力する。
【００３７】
Ｐ／Ｓ変換部３３はＩＦＦＴ回路２３からの出力をシリアル信号に変換する。また、Ｓ／Ｐ変換部３４はＡ／Ｄ変換器１７からの出力をパラレル信号に変換する。
【００３８】
通信装置３０がＯＦＤＭ方式等による送信処理を行うときは、送信データは第１の切替え部３１を経由して、ＩＦＦＴ回路２３で周波数領域の信号から時間領域に信号に変換され、第２の切替え部３２、Ｐ／Ｓ変換部３３を経由してベースバンド信号として、複素掛算器１２等により直交変調等の信号処理が行われる。送信データは、アンテナ２４からＲＦ信号として送信される。
【００３９】
一方、通信装置３０が遅延検出を行うとき、Ａ／Ｄ変換器１７から出力されるフィードバック信号はＳ／Ｐ変換部３４によりパラレル信号に変換され、第１の切替え部３１を経由してＩＦＦＴ回路２３に入力される。ＩＦＦＴ回路２３は遅延検出回路として、その出力を第２の切替え部３２を経由して遅延回路１８に出力する。以降は図１（Ａ）と同様である。
【００４０】
図４はＯＦＤＭ方式の送信系のみならず受信系も含む通信装置３０の構成例である。ＩＦＦＴ回路２３はＦＦＴ回路２２と同一回路で実現できるため、送信処理、受信処理、さらに歪み補償回路１０の遅延検出回路に流用している。
【００４１】
送信データに対する処理と、歪み補償回路１０の遅延検出処理は図３と同様である。受信信号に対する処理は以下のようになる。すなわち、アンテナ２４で受信した受信信号は直交復調器１６、Ａ／Ｄ変換器１７、Ｓ／Ｐ変換部３４で各処理が施され、第１の切替え部３１でＩＦＦＴ回路２３に出力される。ＩＦＦＴ回路２３は時間領域の受信信号を周波数領域に変換して第２の切替え部３２に出力する。第２の切替え部３２は受信データを他の処理回路に出力するよう切替える。
【００４２】
図１（Ａ）に戻り、歪み補償回路１０は、Ｄ／Ａ変換器１３の前段までと、Ａ／Ｄ変換器１７の後段以降はディジタル回路である。ディジタル回路により構成された部分は回路設計時にその遅延を計算できる。そして、Ｄ／Ａ変換器１３からアンプ１５を経由してＡ／Ｄ変換器１７までのアナログ回路で処理される信号（フィードバック信号）に遅延がなければ、ＦＦＴ回路２２（またはＩＦＦＴ回路２３）はあるタイミングでフィードバック信号を取り込むことができる。
【００４３】
図５は１シンボル分のＯＦＤＭ信号の例を示す図である。例えば直交変調器１４から出力されるＯＦＤＭ信号の例である。上述したようにフィードバック信号に遅延がなければ、ＦＦＴ回路２２は、例えばＣＰ（Cyclic Prefix）部の直後（図中、Ｘ）からフィードバック信号を取り込むように予め設計することができる。
【００４４】
しかし、このようにＦＦＴ回路２２を設計したとき、Ｄ／Ａ変換器１３からＡ／Ｄ変換器１７までは信号処理が行われるため、フィードバック信号は参照信号（ベースバンド信号）に対して遅延する。
【００４５】
図６（Ａ）及び同図は、それぞれ遅延がない場合と遅延がある場合とでＦＦＴ回路２２がフィードバック信号を取り込む範囲の例を示す図である。フィードバック信号がΔｔ遅延したとき、ＦＦＴ回路２２は図６（Ｂ）の「Ｙ」から取り込むことになる。  
【００４６】
次に、ＦＦＴ回路２２の出力から遅延を検出できることについて説明する。
【００４７】
図７はＦＦＴ回路２２から出力される信号列の例を示す図である。フィードバック信号が参照信号に対してΔｔだけ遅延したとき、ＦＦＴ回路２２の出力は以下となる。
【００４８】
【数１】
2009272875.tif 000003
なお、ｋは、ｋ＝０，・・・，ｎであり、ｎはサブキャリアの総数、Ｆ０，Ｆ１，・・・，Ｆｎは復調した送信符号（送信信号）をそれぞれ示す。
【００４９】
ここで、Ｆｋ＝１となるＦｋのパターンを選択し、ＦＦＴ回路２２の出力（数１）から虚数項（ｓｉｎ（２πΔｔ・ｋ１／ｎ））を取り出してみる。図８は、その虚数項のグラフの例を示す図である。横軸が遅延量Δｔであり、縦軸は虚数項（ｓｉｎ（２πΔｔ・ｋ１／ｎ））の値である。
【００５０】
同図に示すように、虚数項の値がプラスの値を取り得るとき遅延量ΔｔはΔｔ＞０となり、虚数項の値がマイナスのときΔｔ＜０となる。また、虚数項の値が「０」のときΔｔ＝０となる。すなわち、遅延量Δｔに応じて虚数項の値は変化する。ＦＦＴ回路２２の出力（数１）は実数項も含まれるが、実数項も同様に遅延量Δｔに応じて値が変化する。つまり、ＦＦＴ回路２２からは遅延量Δｔに応じた値（数１）が出力される。
【００５１】
そこで、ＦＦＴ回路２２の出力（数１）を遅延量として遅延回路１８に出力させ、遅延回路１８はＦＦＴ回路２２の出力の正負を逆転した値を参照信号に加算すれば、遅延回路１８からはフィードバック信号の遅延分の参照信号を出力できる。よって、減算器１９は参照信号とフィードバック信号とをタイミングを合わせて減算できる。
【００５２】
このように、本歪み補償回路１０は、信号処理回路で使用されるＦＦＴ回路２２またはＩＦＦＴ回路２３を、歪み補償回路１０での遅延検出回路として兼用して使用する。したがって、専用の遅延検出回路を用いる場合と比較して、本歪み補償回路１０は回路規模を縮小できる。
【００５３】
図１（Ａ）に示す歪み補償回路１０は以下のような変形例も考えられる。図１（Ｂ）はその変形例の構成例を示す図である。遅延回路１８２は、Ａ／Ｄ変換器１７と減算器１９との間に設けられる。ＦＦＴ回路２２は、Ａ／Ｄ変換器１７と遅延回路１８２との間に設けられる。遅延回路１８１は、参照信号側（フィードフォーワード側）の遅延として、フィードバック側で考えられる遅延の最大値（例えば、１００ｎｓｅｃ）に設定する。ＦＦＴ回路２２はフィードバック信号の遅延を検出（例えば、３０ｎｓｅｃ）し、最大値に対する差分（例えば、７０ｎｓｅｃ。遅延量から求められる量）を遅延回路１８２に設定する。このように、ＦＦＴ回路２２からの出力が入力される遅延回路１８２はフィードバック側にあってもよい。
【実施例２】
【００５４】
実施例１において、遅延回路１８はＦＦＴ回路２２（またはＩＦＦＴ回路２３）の出力をそのまま用いた。例えば、送信符号として使用するサブキャリアが把握できればそのサブキャリアを利用して遅延量を検出することもできる。
【００５５】
図９はＦＦＴ回路２２周辺の構成例を示す図である。ＦＦＴ回路２２の後段に送信符号キャンセル回路３５を設け、その出力を遅延回路１８に入力させる。ＦＦＴ回路２２はフィードバック信号が入力され、サブキャリア数分のＦＦＴ出力を出力する。送信符号キャンセル回路３５は、ＦＦＴ出力とともに、例えばｋ１番目のサブキャリアに対応する送信符号Ｆｋ１が入力され、ｋ１番目のサブキャリアに対応するＦＦＴ出力を選択して、送信符号Ｆｋ１で除算する。
【００５６】
遅延回路１８への入力は、結果的に、Ｆｋ＝１となる符号パターンを選択したものと同様となる。遅延回路１８は送信符号キャンセル回路３５の出力に基づいて参照信号を遅延する。本例はＦｋ＝±１，±ｊ等の符号パターンを容易に選択できないときに有効である。
【００５７】
なお、送信符号キャンセル回路３５に入力される送信符号Ｆｋ１は、例えば図３において、第１の切替え部３１の前段からの送信データを送信符号キャンセル回路３５に入力させればよい。送信符号キャンセル回路３５は例えば送信符号Ｆｋ１を一時記憶し、ＦＦＴ回路２２からの出力を待ってｋ１番目のサブキャリアに対応するＦＦＴ出力を選択し除算すればよい。
【実施例３】
【００５８】
実施例１で説明したように、ＦＦＴ回路２２はサブキャリア数に応じてサブキャリア毎にＦＦＴ出力を出力する（数１）。実施例１はそのうち１点を用いた例を説明した。例えば、複数点を遅延検出に用いることもできる。以下では２点に着目し、その応用例を説明する。
【００５９】
ｋ１番目とｋ２番目のサブキャリアに対応するＦＦＴ出力はそれぞれ以下のように示すことができる。
【００６０】
【数２】
2009272875.tif 000004
【００６１】
【数３】
2009272875.tif 000005
ただし、ｋ２＞ｋ１であり、ｋ２番目のサブキャリアはｋ１番目のサブキャリアよりも周波数が高いものとする。
【００６２】
図１０は、数２，数３の各出力のうち虚数項のグラフを示す図である。同図に示すようにｋ２番目のサブキャリアに対応する出力はｋ１番目の出力よりも遅延量Δｔの検出範囲は狭い。しかし、ｋ２番目の方がｋ１番目よりも遅延量Δｔの変動が小さくても大きな出力を得ている。つまり、周波数の高いサブキャリアの出力の方が周波数の低い方と比較して遅延量Δｔの検出幅は狭いが遅延量Δｔの変動が小さくても大きな値を出力する。
【００６３】
この特性を利用して、遅延量Δｔの分解能（ビット数）を調整することもできる。例えば、より多くのビット数で遅延量Δｔを表現できるときは周波数の高いｋ２番目の出力を利用して遅延を検出し、少ないビット数により遅延量Δｔを表現するときは周波数の低いｋ１番目の出力を利用する。遅延回路１８で表現できるビット数に応じてＦＦＴ回路２２からの出力を利用すればよい。
【００６４】
それ以外にも、例えば、遅延回路１８は最初に周波数の低いｋ１番目の出力を利用して参照信号を遅延させ（粗調整）、次に遅延量Δｔが小さくなったところで周波数の高いｋ２番目の出力を利用して遅延させる（微調整）こともできる。
【実施例４】
【００６５】
実施例１では予め回路設計時にディジタル回路の構成部分についてその遅延を考慮して設計し、例えば図５の「Ｘ」のタイミングでＦＦＴ回路２２はフィードバック信号を取り込むように設計した。本実施例４はこのように回路設計時に遅延を考慮しないで遅延検出を行う場合の例である。
【００６６】
図１１は実施例４の歪み補償回路１０の構成例を示す図である。同図に示すように、本実施例４の歪み補償回路１０は、減算器２５により参照信号とフィードバック信号との差分をとりその差分値をＦＦＴ回路２２に入力させる。ここで、減算器２５の入力段で参照信号はΔｔｒの遅延が生じ、フィードバック信号はΔｔｆの遅延が生じるものとする。フィードバック信号の参照信号に対する遅延は（Δｔｆ−Δｔｒ）となる。この遅延量（Δｔｆ−Δｔｒ）をＦＦＴ回路２２に入力すると、その出力は以下のようになる。
【００６７】
【数４】
2009272875.tif 000006
図１２はＦＦＴ回路２２から出力される信号列の例を示し、図１３は実施例１と同様に、数４の出力のうち虚数項の出力例を示すグラフである。同図に示すように、出力値は参照信号の遅延Δｔｒに応じて異なる特性となる。例えば、ＦＦＴ回路２２のサンプルタイミングが図５の「Ｘ」のタイミングより早い場合、Δｔｒ＝０の場合と比較して、出力値はΔｔｆが遅れている領域で大きくなり（図１３中、「−」方向）、遅い場合、Δｔｆが遅れている領域で小さくなる（同図中、「＋」方向）。
【００６８】
このような場合でも、遅延回路１８はＦＦＴ回路２２の出力が入力され、実施例１と同様に、その出力が負のとき参照信号の遅延を増加させ、その出力が正のとき参照信号の遅延を減少させるようにする。これにより実施例１と同様に、減算器１９の入力段で参照信号とフィードバック信号とのタイミングが合った状態で減算できる。
【実施例５】
【００６９】
本実施例５は、実施例１等のＦＦＴ回路２２におけるフィードバック信号の取り込み範囲を実施例１と比較して短い範囲で行う例である。図１４（Ａ）及び同図（Ｂ）はその例を示す図である。
【００７０】
同図（Ｂ）に示すように、ＦＦＴ回路２２に取り込む範囲を実施例１（図６（Ｂ）参照）と比較して短い範囲で行うことで、短い時間でＦＦＴ回路２２から出力が得られ、短時間で遅延量Δｔを検出できる。
【００７１】
図１５は本実施例５の構成例を示す図である。Ａ／Ｄ変換器１７とＳ／Ｐ変換部３４との間にカウンタ４０を備える。カウンタ４０は、予めカウント値が記憶され、入力された信号のサンプル数を一定間隔でカウントし、カウントした分の入力信号を出力する。カウント値を図１４（Ｂ）に示す範囲とすることで、ＦＦＴ回路２２に取り込む範囲を実施例１と比較して短くできる。
【００７２】
以上まとめると付記のようになる。
【００７３】
（付記１）
遅延検出回路において、
時間領域の信号を周波数領域の信号に変換または周波数領域の信号を時間領域の信号に変換する変換回路を備え、
前記変換回路は送信信号に対して直交変調により信号処理を行う信号処理回路において使用され、
前記変換回路は前記送信信号に対する第１の信号の遅延量を出力することを特徴とする遅延検出回路。
【００７４】
（付記２）
前記変換回路は前記第１の信号に対して複数の周波数領域または時間領域の信号を出力し、前記複数の周波数領域または時間領域の信号を前記遅延量として出力することを特徴とする付記１記載の遅延検出回路。
【００７５】
（付記３）
前記変換回路は、前記送信信号と第１の信号との差分が入力されることを特徴とする付記１記載の遅延検出回路。
【００７６】
（付記４）
前記送信信号は参照信号であり、前記第１の信号は前記信号処理回路の送信側からのフィードバック信号であることを特徴とする付記１記載の遅延検出回路。
【００７７】
（付記５）
前記直交変調はＯＦＤＭまたはＯＦＤＭＡによる直交変調であることを特徴とする付記１記載の遅延検出回路。
【００７８】
（付記６）
歪み補償係数を用いて送信信号に対する歪みを補償する歪み補償回路において、
時間領域の信号を周波数領域の信号に変換または周波数領域の信号を時間領域の信号に変換する変換回路と、
前記変換回路の出力に基づいて前記送信信号又はフィードバック信号を遅延させる遅延回路とを備え、
前記変換回路は送信信号に対して直交変調により信号処理を行う信号処理回路において使用され、
前記変換回路は、前記送信信号に対する、前記信号処理回路の出力側からフィードバックされる前記フィードバック信号の遅延量又は前記遅延量から求められる量を出力し、
前記遅延量に基づいて遅延された前記送信信号又は前記遅延量から求められる量に基づいて遅延された前記フィードバック信号に基づいて前記歪み補償係数を更新することを特徴とする歪み補償回路。
【００７９】
（付記７）
さらに、前記送信信号と前記変換回路からの出力とが入力され、前記変換回路からの出力から前記送信信号の送信符号をキャンセルする送信符号キャンセル回路を備え、
前記送信符号キャンセル回路の出力を前記遅延回路に入力させることを特徴とする付記６記載の歪み補償回路。
【００８０】
（付記８）
前記信号処理回路はＯＦＤＭまたはＯＦＤＭＡによる直交変調により信号処理を行うことを特徴とする付記６記載の歪み補償回路。
【００８１】
（付記９）
送信信号に対して直交変調を行い、直交変調後の前記送信信号を送信する信号処理回路を備える通信装置において、
時間領域の信号を周波数領域の信号に変換または周波数領域の信号を時間領域の信号に変換する変換回路を備え、
前記変換回路は前記信号処理回路において使用され、
前記変換回路は前記送信信号に対する第１の信号の遅延量を出力することを特徴とする通信装置。
【００８２】
（付記１０）
前記信号処理回路はＯＦＤＭまたはＯＦＤＭＡによる直交変調により信号処理を行うことを特徴とする付記９記載の歪み補償回路。
【図面の簡単な説明】
【００８３】
【図１】図１（Ａ）及び同図（Ｂ）は歪み補償回路の構成例を示す図である。
【図２】図２はＯＦＤＭ方式の信号処理回路の構成例を示す図である。
【図３】図３は通信装置の構成例を示す図である。
【図４】図４は通信装置の構成例を示す図である。
【図５】図５は１シンボル分のＯＦＤＭ信号の例を示す図である。
【図６】図６（Ａ）及び同図（Ｂ）はＦＦＴに取り込む範囲の例を示す図である。
【図７】図７はＦＦＴ回路２２の出力例を示す図である。
【図８】図８はＦＦＴ出力のうち虚数項のグラフを示す図である。
【図９】図９はＦＦＴ回路と送信符号キャンセル回路の構成例を示す図である。
【図１０】図１０はＦＦＴ出力のうち虚数項のグラフを示すである。
【図１１】図１１は歪み補償回路の構成例を示す図である。
【図１２】図１２はＦＦＴ回路の出力例を示す図である。
【図１３】図１３はＦＦＴ出力のうち虚数項のグラフを示す図である。
【図１４】図１４（Ａ）及び同図（Ｂ）はＦＦＴ部に取り込む範囲の例を示す図である。
【図１５】図１５は通信装置の構成例を示す図である。
【図１６】図１６は従来の歪み補償回路の構成例を示す図である。
【図１７】図１７（Ａ）は従来の遅延検出回路、同図（Ｂ）は遅延検出回路からの出力例をそれぞれ示す図である。
【符号の説明】
【００８４】
１０  歪み補償回路、  １１  ＬＵＴ、  １２  複素掛算器、  １３  Ｄ／Ａ変換器、  １４  直交変調器、  １５  アンプ、  １６  直交復調器、  １７  Ａ／Ｄ変換器、  １８  遅延回路、  １９  減算器、  ２０  振幅算出部、  ２１  加算器、  ２２  ＦＦＴ回路、  ２３  ＩＦＦＴ回路、  ２４  アンテナ、  ３１  第１の切替え部、  ３２  第２の切替え部、  ３３  Ｐ／Ｓ変換部、  ３４  Ｓ／Ｐ変換部、  ３５  送信符号キャンセル回路、  ４０  カウンタ
【図１】
2009272875.tif 000007
【図２】
2009272875.tif 000008
【図３】
2009272875.tif 000009
【図４】
2009272875.tif 000010
【図５】
2009272875.tif 000011
【図６】
2009272875.tif 000012
【図７】
2009272875.tif 000013
【図８】
2009272875.tif 000014
【図９】
2009272875.tif 000015
【図１０】
2009272875.tif 000016
【図１１】
2009272875.tif 000017
【図１２】
2009272875.tif 000018
【図１３】
2009272875.tif 000019
【図１４】
2009272875.tif 000020
【図１５】
2009272875.tif 000021
【図１６】
2009272875.tif 000022
【図１７】
2009272875.tif 000023